(57)【特許請求の範囲】
【請求項１】
それぞれの一方の面（６ａ，６ｂ）を介して相互に組立てるのに適した２つの収容部（２，３）によって構成された容器（１）であって、
各収容部（２，３）の組立て面（６ａ，６ｂ）が同様に、
溝（８）の形式の横断方向に延びる段部（７）と、
底部当接部（１１）と頂部当接部と
を具備し、
頭部から尾部への位置で各収容部（２，３）の溝（８）の谷部（９）が他方の収容部（２，３）の溝（８）の縁部（１０）と共働し、各収容部（２，３）の底部当接部（１１）が他方の収容部（２，３）の頂部当接部と共働し、それにより２つの収容部を一緒に組立て、収容部の間の横断方向と長手方向との相対移動を阻止するようにしている
ことを特徴とする２つの収容部で構成された容器。
【請求項２】
２つの収容部（２，３）を横方向で阻止する手段をさらに具備していることを特徴とする請求項１に記載の容器（１）。
【請求項３】
阻止手段が、収容部（２，３）の一方の組立て面（６ａ，６ｂ）に形成された少なくとも１つの空洞と、他方の収容部（２，３）の組立て面（６ａ，６ｂ）に形成された起伏部分とにより形成され、前記起伏部分が空洞に挿入されるようになっていることを特徴とする請求項２に記載の容器（１）。
【請求項４】
各収容部（２，３）が空洞と起伏部分とを有していることを特徴とする請求項３に記載の容器（１）。
【請求項５】
空洞が溝（１２）であり起伏部分が突起（１３）であることを特徴とする請求項３又は４に記載の容器（１）。
【請求項６】
溝（８）が丸くされた形状で組立てを容易にすることを特徴とする請求項１から５のうちの１項に記載の容器（１）。
【請求項７】
各収容部（２，３）が開口を閉鎖するキャップ（５）を有し、前記キャップ（５）の底面（１８）が頂部当接部を構成していることを特徴とする請求項１から６のうちの１項に記載の容器（１）。
【請求項８】
底部当接面（１１）が収容部（２，３）の基部に向って面する平面の表面（１９）であることを特徴とする請求項１から７のうちの１項に記載の容器（１）。
【請求項９】
底部当接面（１１）がキャップ（５）の厚さに実質的に一致する収容部（２，３）の基部（４）からの距離をおいて位置していることを特徴とする請求項７に記載の容器（１）。
【請求項１０】
各収容部（２，３）が成形されたプラスチック材料で作られていることを特徴とする請求項１から９のうちの１項に記載の容器（１）。
【発明の詳細な説明】
【０００１】
本発明はそれぞれの面を介して相互に組立てられる２つの収容部で形成された容器に関する。
【０００２】
本発明の特定の用途は特に液体の種々の製品を包装することにある。
【０００３】
これらの収容部はしたがって種々の液体を包装するため缶によって構成することができる。
【０００４】
フランス特許公開第２，７６５，５５７号は相互に逆向きに固定することができる２つの収容部で形成された容器を開示している。この容器は２つの収容部がそれぞれの面の少なくとも一方を介して相互に固定され、これらの面はこの２つの収容部が容器を形成している時に目に見えない固定手段を有していることによって特徴づけられている。
【０００５】
極めて多くの方法が有利ではあるが、その固定手段が設計される方法のため、この容器は限られた数の構造によって提供されるにすぎない。
【０００６】
さらにまた、これらの手段は特別に製造される必要があるという欠点を有しそのため容器の全体のコストを増すものとなる。
【０００７】
本発明は現在の容器の欠点をなくしこれを２つの一緒に組立てられた収容部によって構成された新規な容器を提供することによって行うことができるようにする。
【０００８】
この容器はこの２つの収容部が高度に特徴のある効率的な方法で一緒に組立られるようにするという利点を有する。用いられる組立て手段は特に収容部が成形されたプラスチック材料で形成された時に収容部の本体に容易に施される。
【０００９】
本発明はまた実施上の理由と外観のためとにおいて非常に特殊なまた大衆を魅了するのに適した形状の容器を提供するという利点を有している。
【００１０】
他の目的と利点は本発明を限定しない以下の記載から明らかとなる。
【００１１】
本発明はそれぞれの面を介して相互に組立てるのに適した２つの収容部によって構成された容器を提供し、この容器は各収容部の組立て面が同様に
・溝の形式の横断方向に延びる段部と
・底部当接部及び頂部当接部と
を具備し、
それにより頭部から尾部の位置で各収容部の溝の谷部が他方の収容部の溝の縁部と共働し、また各収容部の底部当接部が他方の収容部の頂部当接部と共働して２つの収容部を一緒に組立て、２つの収容部の間の横断方向と長手方向との相対移動を阻止するようにしている
ことを特徴とする。
【００１２】
以下の特定された実施態様は本発明の変更例を構成する。すなわち
・さらに２つの収容部の横方向への動きを阻止する手段を具備している、
・この阻止手段は一方の収容部の組立て面に形成された少なくとも１つの空洞部と他方の収容部の組立て面に形成された起伏部分とによって形成され、前記起伏部分は空洞に挿入するに適している、
・各収容部は空洞と起伏部分とを有する、
・空洞は溝であり起伏部分は突起である、
・溝は丸くされた形状であり組立てを容易にする、
・各収容部はその開口を閉鎖するキャップを有し、このキャップの底面は頂部当接部を構成する、
・底部当接部は収容部の基部の方に面する平らな表面である、
・底部当接部はキャップの厚さに実質的に一致する収容部の底部からの距離に位置している、そして
・各収容部は成形されたプラスチック材料で作られる。
【００１３】
添付図面は限定されない表示として与えられる。これら図面は本発明の実施態様を示す。図面は本発明を理解するのを容易にする。
【００１４】
一定の製品を包装するには一緒に組立てることのできる２つの収容部を有する容器１を用いるのが有利である。
【００１５】
この記載では図１に示されるように、本発明は２つの収容部２と３で作られた容器１を提供する。
【００１６】
これら収容部２と３は参照符号６ａと６ｂで示されるその面の各々を介して相互に組立てることができる。
【００１７】
組立体の面６ａもまた図２の前面図に見られる。
【００１８】
２つの収容部２，３を各組立て面６ａと６ｂとを介して相互に共働させるために、これらの面は本発明の特徴とする特殊な形状を有している。
【００１９】
以下に記載された実施態様は、この２つの収容部２，３が実質的に同一でありまた同様に形成された組立て面６ａ，６ｂを有しているものである。しかし、収容部２，３は、特にこれらが異なった一定の寸法を有し、例えば横断方向１７で異なっているように、異なったものとすることができる。
【００２０】
図３に示されるように、組立て面６ａ，６ｂは第１に横断方向に段部７を具備している。横断方向軸線は図４で符号１７で示されている。
【００２１】
記載の目的のため、各収容部の横方向軸線は１６で示され長手方向軸線は１５で示される。
【００２２】
図３の側面図で示されるように、段部７は収容部の厚さの変化を構成しまた溝８を含んでいる。
【００２３】
この溝は谷部９と縁部１０とを具備している。
【００２４】
さらにまた、本発明では、組立て面６ａ，６ｂは図２に示されるように底部当接部１１を有している。
【００２５】
底部当接部１１は好ましくは収容部の底部の方に面しかつ収容部２，３の基部から突出する平面の表面１９である。
【００２６】
各収容部２，３はまた前記底部当接部１１の平面の表面１９に圧接することにより底部当接部と共働するのに適している頂部当接部を有している。
【００２７】
このように形成された各組立て面６ａ，６ｂを有する２つの収容部２，３は次のように共働するのに適している。
【００２８】
第１に、溝８が組立て面の一方６ａの縁１０を他方の組立て面６ｂの谷部９に挿入することにより共働する。往復の係合がまた生じる。この共働作用は図１に明らかに見ることができる。
【００２９】
各収容部２，３の底部当接部１１はまた他方の収容部２，３の頂部当接部と当接するようになる。
【００３０】
溝８の間の共働は収容部２，３が横断方向の相対的な移動を阻止する作用をする。底部と頂部の当接部１１は２つの収容部２，３が長手方向に相対移動するのを阻止する作用をする。
【００３１】
特定の実施態様では、頂部当接部は収容部２，３の開口を閉じるキャップ５により構成される。この変更例は液体の包装に特に適合し、各収容部２，３のねじ部１４と共働するキャップ５の存在はありふれたものである。
【００３２】
頂部当接部を構成するためのキャップ５の使用は前記当接部を形成する余分の手段を必要としないという利点を有している。したがって、キャップ５の普通の設計の底面１８は当接部を構成する作用をする。
【００３３】
さらにまた、この２つの収容部２，３を組立てまた分解するのをより容易にするため、溝８は好ましくは図３に示されるように丸くされた形状となっている。鋭い角度のないことは各突起部１０を他方の溝８の谷部９の所定位置に置くのをより容易にする。
【００３４】
好ましい実施態様では、容器はまた２つの収容部２，３が横方向に動くのを阻止する手段を有している。
【００３５】
このような手段の使用は２つの収容部２，３が全ての方向に動くのが阻止されることを保証する。
【００３６】
一変更例では、横方向の阻止手段は収容部２，３の一方の組立て面６ａ，６ｂに形成された少なくとも１つの空洞と収容部２，３の他方の組立て面６ａ，６ｂに形成された起伏する部分とによって形成されている。
【００３７】
この空洞と起伏部分とは相互に共働し起伏部分が空洞に挿入されるように形成される。
【００３８】
好ましい実施態様では、空洞は図２，４及び５に示されるように溝１２である。
【００３９】
この記載では、起伏部分は図２と図３及び５とに見られる突起１３である。
【００４０】
このように構成された時、空洞と起伏部分とは相当な長さでありそれにより空洞と起伏部とを２つの収容部が横方向に移動するのを阻止するのが高度に効率的となるようにする。
【００４１】
この２つの収容部２，３は好ましくはプラスチック材料で作られまた任意の公知の手段を用いて成形することができる。
【００４２】
さらにまた、十分に可撓性のプラスチック材料を選択することにより（例えば収容部２，３を構成する材料の厚さを制限することにより）、収容部２，３を組立てまた分解する作用はその弾性の利点を利用することによりさらに容易となる。
【００４３】
最後に、容器１は１つの平面上に起立するのに適した１つ又は複数の表面を有するように作られることが有利である。
【００４４】
この目的のため、底部当接部１１は好ましくは収容部２，３の基部４から距離をおいて置かれ、前記距離は実質的にキャップ５の厚さに一致している。
【００４５】
したがってキャップ５の底面１８が底部当接部１１と共働している時、キャップ５の頂面は基部４の平面と同一平面上にあるようになる。
【００４６】
これは容器１の面の一方を１つの平面上に立ち上がらせるのができるようにする。
【００４７】
当然に、長手方向、横断方向及び横方向の軸線１５，１７及び１６は記載の目的で例示としてその方向を定めたものである。容器１の構造に関する他の方向の規定は本発明の範囲内にあるものである。
【図面の簡単な説明】
【図１】２つの収容部で作られた本発明の容器の側面図である。
【図２】本発明の容器を構成する収容部の一方の前面図である。
【図３】本発明の容器を構成する収容部の一方の側面図である。
【図４】本発明の容器を構成する収容部の一方の底面図である。
【図５】本発明の容器を構成する収容部の一方の頂面図である。
【符号の説明】
１…容器
２…収容部
３…第２の収容部
４…基部
５…キャップ
６ａ…組立て面
６ｂ…組立て面
７…段部
８…溝
９…溝の谷部
１０…溝の縁部
１１…底部当接部
１２…溝
１３…突起
１４…ねじ
１５…長手方向軸線
１６…横方向軸線
１７…横断方向軸線
１８…キャップの底面
１９…平面の表面
【図１】
0003615186.tif 000002
【図２】
0003615186.tif 000003
【図３】
0003615186.tif 000004
【図４】
0003615186.tif 000005
【図５】
0003615186.tif 000006